(57)【要約】【課題】  カメラ/スマホで自分撮りをする際に、モニター画面を見ることが出来ない場合でも、レンズの方向を的確に判断する補助器具を提供する。【解決手段】  中空洞で一面が開口した長方体の形状を持つ箱型筐体で、金属、プラスチック或は厚紙で製作され、各辺の外寸法が、縦10ミリ〜20ミリ、横  13ミリ〜25ミリ  奥行き（開口面から背面まで）13ミリ〜25ミリ、また箱型筐体の肉厚は、0.1ミリ〜2.5ミリ、開口部の縦横比が、１：１〜２で、箱型筐体の背面内側に図形が描かれたことを特徴とする自分撮り撮影用のレンズ方向確認補助器具とする。【選択図】  図１
2016138942.tif 000002
【特許請求の範囲】
【請求項１】
中空洞で一面が開口した長方体の形状を持つ箱型筐体で、金属、プラスチック或は厚紙で製作され、各辺の外寸法が、縦10ミリ〜20ミリ、横  13ミリ〜25ミリ  奥行き（開口面から背面まで）13ミリ〜25ミリ、また箱型筐体の肉厚は、0.1ミリ〜2.5ミリ、開口部の縦横比が、１：１〜２で、箱型筐体の背面内側に図形が描かれたことを特徴とする自分撮り撮影用のレンズ方向確認補助器具。
【発明の詳細な説明】
【技術分野】
【０００１】
本発明は、小型デジタルカメラやスマートフォン（以下  カメラ/スマホ  と称する。）で自分撮りをする際に、撮影者がレンズの方向、或は写真の構図を確認するための補助器具に関するものである。
【背景技術】
【０００２】
昨今  自撮り棒（或は  自分撮り棒）にカメラ/スマホを装着して自分自身の姿を撮影する人が増加してきているが、撮影者は、カメラ/スマホのモニター画面を直接見ながら  若しくは自撮り棒の付属部品である鏡に反射したモニター画面を見ながら意図したアングルで撮影されることを確認している。
【０００３】
カメラの場合自分撮りの構図確認をしやすいようにカメラ背面のモニター画面をカメラ正面（レンズ側）に回転  若しくは、折り曲げることが可能な構造を備えた新型のカメラが市場に出回り始めているが、そのような構造を有しない従来型のカメラも数多く市販または所有されている。  
【０００４】
このような従来型カメラの場合撮影者は、レンズの方向を感覚で判断し撮影することになるが、自撮り棒の長さの影響もありレンズの方向を精度良く把握出来ず、撮影した写真が上下左右に大きくずれてしまうことも多く、なかなか意図した構図の写真を撮ることが出来ない問題がある。
【０００５】
スマホの場合、モニター画面と同じ側面に自分撮り用のレンズが装備されており、モニター画面を見ながら撮影することが一般的であるが、かかる自分撮り用のレンズは、背面の主レンズに比べはるかに小型で、解像度が劣っており、高画質の写真を撮りたい時は主レンズを使用することが望ましいが、この場合、モニター画面を見ることが出来なくなり、従来型カメラと同様の問題が生じる。
【０００６】
開口面を有した中空洞の箱型筐体を開口面から内部を見る場合、観察者の視点が開口面の中心点から直角の線上に位置しておれば、背面内部の全部を目視することが可能であるが、視点が左右上下にずれると、箱の側面が視線を妨げ背面内部のいずれかの部分が見えなくなるという物理的現象が知られている。    
【先行技術文献】
【非特許文献】
【０００７】
【非特許文献１】なし
【発明の概要】
【発明が解決しようとする課題】
【０００８】
カメラ/スマホで自撮り棒を使用し自分撮りをする際に、撮影者がモニター画面を見ることが出来ない場合でも、レンズの方向を的確に知ることが出来、意図した構図に近い写真を撮ることが出来る安価で簡便な器具を提供する。
【課題を解決するための手段】
【０００９】
長方体で中空洞、且つ  一面が開口した箱型筐体で、各辺の外寸法は、縦10ミリ〜20ミリ、横  13ミリ〜25ミリ  奥行き（開口面から背面まで）13ミリ〜25ミリとし、開口部の縦横比を、１：１〜２とする。  縦横比は、写真L版用紙の縦横比とほぼ同じ、また奥行きは、開口面の横とほぼ同じ長さとすることが好ましい。
箱型筐体の肉厚は、0.1ミリ〜2.5ミリとする。
【００１０】
箱型筐体の材質は、アルミなどの金属、プラスチック  或は  厚紙とし、一体成型、若しくは  分割したものを組み立てるものとする。
【００１１】
箱型筐体の背面内部に図形を有する。  図形は、目視計測を容易にする白黒  或は  色付けされたのものとし、単数若しくは複数の人物や、樹木、草花を図形化したもの、幾何学的な縞模様や市松模様などが好ましい。  図形は背面内部に直接塗装するか、別の用紙に塗装したものを貼り付けてもよい。
【００１２】
カメラ/スマホの本体に取り付ける為に箱型筐体の背面外側  或は  底面外側のどちらか或は両方に装着部材を有する。装着部材として、両面テープ、面ファスナー、磁石式取付け具、また、凹凸の形状を持つ嵌め込み式取付け具とする。  
【００１３】
カメラへの取付けは、カメラ本体の上面  若しくは  正面のレンズの横に装着する。
また、スマホへの取付けは、スマホ本体の背面（モニター画面の裏）主レンズに近い
場所に、いずれも箱型筐体の開口部が撮影者に正対するように装着する。
【００１４】
撮影者は  自撮り棒でカメラ/スマホのレンズを自身の方向に構え、箱型筐体の背面内部に描かれた図形が、どのように見えるか計測する。  見え方の違いで、レンズの方向を判断する。
【発明の効果】
【００１５】
撮影者は、背面内側に描かれた図形を目視計測することによりレンズが意図した方向に向いているか否か、或は  どちらの方向に向いているか極めて容易に即時に確認できる。従って、写真構図の面で大きな誤差を生じることなく撮影することが可能となる。
【００１６】
構造が極めて簡単で安価に製作出来、また軽量である為、携行に便利である。
【図面の簡単な説明】
【００１７】
【図１】本発明品の斜視図である。
【図２】本発明品の正面図である。
【図３】本発明品の左側面図である。
【図４】本発明品の背面内側の図形例である。
【図５】本発明品のカメラへの装着例を示した斜視図である。
【図６】本発明品のスマホへの装着例を示した斜視図である。
【図７】本発明品の実施例における厚紙裁断図である。
【発明を実施するための形態】
【００１８】
以下、本発明の実施例を説明する。
（イ）  肉厚0.5ミリの厚紙を図７のように裁断し、一面が開口した長方体の中空洞の箱型筐体１を組み立てる。  完成時の外寸法を、縦  15ミリ  横  21ミリ  奥行き21ミリ、開口面２の縦横比は、１：1.4  とする。
（ロ）  箱型筐体の背面内部に、簡略化された人間の上半身像３人分が並んだもの３を白黒或は色付けしたものを描く。  
（ハ）装着部材４を両面テープとして、カメラの上部に装着固定する。スマホの場合は、装着部材５を使いモニター画面の裏側でレンズに近い場所に装着固定する。
（二）伸延した自撮り棒（或は、三脚の脚部をまとめ自撮り棒状にしたもの）に取り付けられたカメラ/スマホのレンズを撮影者方向に向け、背面内部の図形を目視計測するが、図形全体が目視出来れば、レンズが撮影者に正対していることを、もし図形の右側が見えない場合は、レンズが撮影者の左側に向いていると判断できる。図形の左側が見えない場合は、反対となり、上下についても同様の判断が出来る。撮影者は構図を確認したうえで、リモコン或はセルフタイマーで撮影する。
【符号の説明】
【００１９】
１  箱型筐体
２  箱型筐体開口面
３  計測補助用図形
４  底面装着部材
５  背面装着材
【図１】
2016138942.tif 000003
【図２】
2016138942.tif 000004
【図３】
2016138942.tif 000005
【図４】
2016138942.tif 000006
【図５】
2016138942.tif 000007
【図６】
2016138942.tif 000008
【図７】
2016138942.tif 000009